(57)【要約】【課題】取り扱いが容易であり、使用状態の如何にかかわらず、薬剤等の液体を一定量塗布することができ、また粘性の高い液体の導出にも適した定量塗布具を提供する。【解決手段】塗布部１０を塗布する対象物に当てた状態で、操作部（外筒２、ノック棒３）をノックすることにより、液体を一定量導出する定量塗布具１であって、操作部あるいは操作部の一部を構成するノック棒３が下方向に移動することにより、前記回転子４のピン４ｂが螺旋状のガイド溝６ｅ、６ｄの上位置から下位置に移動することによって、前記ノック棒３が回動し、更に、前記ノック棒３の回動により前記ねじ棒５が回動すると共に、前記ねじ体７によってねじ棒５及びピストン１２が下方向へ移動し、塗布部１０から所定量の液体が導出される【選択図】図２１
2015227181.tif 000002
【特許請求の範囲】
【請求項１】
液体を収容する液体タンクと、前記液体タンクから液体の供給を受けて一定量の液体が収容され、導出口から液体を導出する塗布部とを有し、前記塗布部を塗布する対象物に当てた状態で、操作部をノックすることにより、液体を一定量導出する定量塗布体と、前記定量塗布体の塗布部を覆うキャップ体とを備えた定量塗布具において、
前記定量塗布体は、
使用者のノックによって下方向に移動する、操作部あるいは操作部の一部を構成するノック棒と、
前記ノック棒が下方向へ移動することによって前記ノック棒を回動させる、外周面にピンを有する回転子と、
前記回転子の下面に一端が当接するスプリングと、
前記スプリングの他端が当接し、内周面にねじ部が形成されたねじ体と、
前記回転子の前記ピンが摺動可能に収容され、前記回転子を回動させる螺旋状のガイド溝を有し、かつ前記ねじ体、前記スプリング、前記回転子を収容する円筒状のカラー部材と、
前記ねじ体のねじ部と螺合するねじ部を有し、前記ノック棒の回動により回動し、前記ねじ体によって下方向へ移動するねじ棒と、
前記ねじ棒の先端部に取り付けられるピストンと、を備え、
前記ノック棒がノックにより下方向に移動することにより、前記回転子のピンが螺旋状のガイド溝の上位置から下位置に移動し、前記回転子及び前記ノック棒が回動し、
更に、前記ノック棒の回動により前記ねじ棒が回動すると共に、前記ねじ体によってねじ棒及びピストンが下方向へ移動し、前記塗布部から所定量の液体が導出されることを特徴とする定量塗布具。
【請求項２】
前記ねじ体の外周面には、舌状片が形成されると共に、前記カラー部材の内周面には、前記ねじ体の舌状片が係合する複数の突起が形成され、
前記ねじ体の舌状片が前記カラー部材の前記突起に係止されることによって、前記ねじ体が前記カラー部材に固定され、固定されたねじ体によって、回動するねじ棒を下方向へ移動させ、
更に、前記ねじ棒からねじ体に所定力以上の回動力が作用すると、前記ねじ体の舌状片と前記カラー部材の前記突起との係止が解除され、前記ねじ棒と共に前記ねじ体が回動することを特徴とする請求項1記載の定量塗布具。
【請求項３】
２重円筒状に形成された液体タンクと、前記液体タンクの中央部に形成された貫通孔と、前記貫通孔の内壁に形成された複数の突起と、前記ねじ棒に形成された弾性片と、を備え、
前記回転子のピンが螺旋状のガイド溝の上位置から下位置に移動する間に、前記弾性片が前記貫通孔の内壁に形成された複数の突起に対して係止及び係止解除がなされることを特徴と請求項1または請求項２記載の定量塗布具。
【請求項４】
前記ねじ棒に設けられた、前記キャップ体の先端部が当接する突っ張り棒を備え、
前記塗布部にキャップ体を装着することにより、キャップ体の先端部が突っ張り棒に当接し、前記突っ張り棒を上方に移動させると共に前記ねじ棒を上方に移動させ、前記ねじ棒を初期の状態に復帰させることを特徴とする請求項１または請求項２記載の定量塗布具。
【請求項５】
前記ノック棒の上端部が係止される、操作部あるいは操作部の一部を構成する外筒と、前記外筒の内周面に形成された前記突っ張り棒が摺動する溝部と、を備え、
前記外筒にキャップ体が進入し、前記突っ張り棒が上方に移動する際、前記突っ張り棒の先端部が前記溝部を摺動することを特徴とする請求項４記載の定量塗布具。
【請求項６】
前記ピストンの中央部に形成された、塗布部に液体を供給する開口孔部と、
前記ねじ棒の下端部に取り付けられた、弁部を有するピストン弁と、
前記ピストン弁とピストンの間に設けられたスプリングとを備え、
前記外筒にキャップ体が進入することにより、
キャップ体は塗布部に形成された導出口を閉塞する共に、前記ピストン弁が上方に移動することにより前記スプリングが圧縮され、前記弁部が開口部から離れ、前記塗布部の内部に前記開口部を介して前記液体タンクから液体が供給され、
前記外筒からキャップ体が取り外されることにより、
前記スプリングの反発力によってピストン弁が下方向に移動し、前記弁部によって開口部を閉塞することを特徴とする請求項４または請求項５記載の定量塗布具。
【請求項７】
前記キャップ体は、
先端部が突っ張りに当接すると共に、前記塗布部を収容するキャップ本体と、
前記キャップ本体に対して上下動可能に形成され、前記塗布部の導出口に圧接し、前記塗布部の導出口を閉塞するキャップ弁と、
前記キャップ本体とキャップ弁との間に設けられたスプリングと、
を備えていることを特徴とする請求項４乃至請求項６のいずれか１項に記載の定量塗布具。
【発明の詳細な説明】
【技術分野】
【０００１】
本発明は定量塗布具に関し、例えば、頭髪に塗布する薬剤等の液体を一定量塗布する定量塗布具に関するものである。
【背景技術】
【０００２】
本出願人は、先に、容器内に収容された内容物を定量吐出するノック式繰出容器を提案している（特許文献１）。また同様に、高粘度の内容物を繰出す際に、ノック力の損失を防ぎつつ操作感を更に軽くしたノック式塗布具を提案している（特許文献２）。
これら特許文献１，２に示されたノック式繰出容器、ノック式塗布具にあっては、本体の後端部に設けられた天冠あるいは繰出体を押圧することにより、本体内部の塗布液収容部を押圧し、本体の先端部に穂首、塗布体に塗布液を供給するものである。
【０００３】
これら塗布具に合っては、前記したように、本体の後端部に設けられた天冠あるいは繰出体をノックすることにより、内容物を一定量繰出すことができる。
しかしながら、本体の先端部の穂首、塗布体を、塗布する対象物に押し当てることによって、内容物を一定量導出するものでない。そのため、頭髪に塗布する育毛剤のような薬液等を塗布する塗布具のように、対象物に押当てた状態で、内容物を一定量導出するものには適さないという問題があった。
【０００４】
かかる問題を解決するものとして、特許文献３，４に示される定量塗布容器が提案されている。
これら定量塗布容は、容器そのものを反転あるいは傾倒させることにより、薬液などの液体を液体収容部から計量室内に供給口を介して導入する。そして、本体先端の塗布部を塗布すべき対象物に押し当てることにより、前記供給口を閉じ、前記計量室と容器本体側とを遮断する。
一方、前記塗布部が塗布すべき対象物に押し当てられることにより、塗布部の弁体が開き、塗布すべき対象物に対して、薬液などの液体が導出されるように構成されている。
【先行技術文献】
【特許文献】
【０００５】
【特許文献１】特開２００９−２５４４１９公報
【特許文献２】特開２０１１−１９４８２０公報
【特許文献３】特許第４８４２０６９公報
【特許文献４】特許第４７５３２３３公報
【発明の概要】
【発明が解決しようとする課題】
【０００６】
ところで、前記した特許文献３，４に示された定量塗布容器にあっては、前記計量室内に貯留される液体量で塗布すべき対象物の複数個所に塗布でき、しかも前記複数個所の塗布で使い切る１回分の量が貯留されている。
しかしながら、前記した特許文献３，４に示された定量塗布容器にあっては、塗布部が塗布すべき対象物に押し当てられることにより、塗布部の弁体が開き、塗布すべき対象物に対して、薬液などの液体が導出されるように構成されているため、本体先端の塗布部を対象物に押し当てた状態が続くと、計量室内に貯留される液体が導出され続けるという技術的課題があった。
即ち、塗布部を対象物に押し当て続けると、前記計量室内に貯留された液体が対象物の一箇所に吐出され、特に液体が薬液の場合等においては、好ましくないという技術的課題があった。
【０００７】
また、前記したように、塗布部の弁体が開き、塗布すべき対象物に対して、薬液などの液体が導出されるように構成されているため、粘性の高い液体の塗布には適さないという技術的課題があった。
【０００８】
本発明は、上記事情に鑑みてなされたものであり、使用状態の如何にかかわらず、薬剤等の液体を一定量塗布することができ、また粘性の高い液体の導出にも適した定量塗布具を提供することを目的とするものである。
【課題を解決するための手段】
【０００９】
本発明にかかる定量塗布具は、液体を収容する液体タンクと、前記液体タンクから液体の供給を受けて一定量の液体が収容され、導出口から液体を導出する塗布部とを有し、前記塗布部を塗布する対象物に当てた状態で、操作部をノックすることにより、液体を一定量導出する定量塗布体と、前記定量塗布体の塗布部を覆うキャップ体とを備えた定量塗布具において、前記定量塗布体は、使用者のノックによって下方向に移動する、操作部あるいは操作部の一部を構成するノック棒と、前記ノック棒が下方向へ移動することによって前記ノック棒を回動させる、外周面にピンを有する回転子と、前記回転子の下面に一端が当接するスプリングと、前記スプリングの他端が当接し、内周面にねじ部が形成されたねじ体と、前記回転子の前記ピンが摺動可能に収容され、前記回転子を回動させる螺旋状のガイド溝を有し、かつ前記ねじ体、前記スプリング、前記回転子を収容する円筒状のカラー部材と、前記ねじ体のねじ部と螺合するねじ部を有し、前記ノック棒の回動により回動し、前記ねじ体によって下方向へ移動するねじ棒と、前記ねじ棒の先端部に取り付けられるピストンと、を備え、前記ノック棒がノックにより下方向に移動することにより、前記回転子のピンが螺旋状のガイド溝の上位置から下位置に移動し、前記回転子及び前記ノック棒が回動し、更に、前記ノック棒の回動により前記ねじ棒が回動すると共に、前記ねじ体によってねじ棒及びピストンが下方向へ移動し、前記塗布部から所定量の液体が導出されることを特徴としている。
【００１０】
このように、操作部（ノック棒）をノックすることにより、前記ねじ体によってねじ棒及びピストンを下方向へ移動し、塗布部から所定量の液体を導出する。このピストンの下方向へ移動量は、ねじ棒の回動量（回転角）によって決定される。即ち、前記螺旋状のガイド溝によって、回転子（ねじ棒）の回動量（回転角）が規定されるため、一定量の液体を塗布部から導出することができる。
また、ピストンによって塗布部から導出するように構成されているため、使用状態の如何にかかわらず、液体を一定量塗布することができ、また粘性の高い液体も導出することができる。しかも、操作部（ノック棒）をノックすることにより、一定量の液体を塗布部から導出することができるため、取り扱いが便利である。
【００１１】
ここで、前記ねじ体の外周面には、舌状片が形成されると共に、前記カラー部材の内周面には、前記ねじ体の舌状片が係合する複数の突起が形成され、前記ねじ体の舌状片が前記カラー部材の前記突起に係止されることによって、前記ねじ体が前記カラー部材に固定され、前記固定されたねじ体によって、回動するねじ棒を下方向へ移動させ、更に、前記ねじ棒からねじ体に所定力以上の回動力が作用すると、前記ねじ体の舌状片と前記カラー部材の前記突起との係止が解除され、前記ねじ棒と共に前記ねじ体が回動することが望ましい。
【００１２】
このように構成されているため、前記ねじ棒からねじ体に所定力以上の回動力が作用した場合に、前記ねじ体の舌状片と前記カラー部材の前記突起との係止が解除され、前記ねじ棒と共に前記ねじ体が回動するため、ねじ棒のねじ部と、ねじ体のねじ部の破損を抑制することができる。
例えば、ピストンが塗布部の底面に当接し、ねじ棒の下方向への移動が規制された状態において、更にねじ棒が回動した場合にも、ねじ棒のねじ部と、ねじ体のねじ部の破損を抑制することができる。
【００１３】
また、２重円筒状に形成された液体タンクと、前記液体タンクの中央部に形成された貫通孔と、前記貫通孔の内壁に形成された複数の突起と、前記ねじ棒に形成された弾性片と、を備え、前記回転子のピンが螺旋状のガイド溝の上位置から下位置に移動する間に、前記弾性片が前記貫通孔の内壁に形成された複数の突起に対して係止及び係止解除がなされることが望ましい。
このように構成されているため、前記回転子（ねじ棒）が所定角度回動するごとに、前記クリック感が得られ、少量でかつ定量の液体を塗布部から導出することができる。
【００１４】
また、前記ねじ棒に設けられた、前記キャップ体の先端部が当接する突っ張り棒を備え、前記塗布部にキャップ体を装着することにより、キャップ体の先端部が突っ張り棒に当接し、前記突っ張り棒を上方に移動させると共に前記ねじ棒を上方に移動させ、前記ねじ棒を初期の状態に復帰させることが望ましい。
このように構成されているため、定量塗布体にキャップ体を装着することによって、定量塗布体を初期状態に復帰させることができ、取り扱いが便利である。
【００１５】
また、前記ノック棒の上端部が係止される、操作部あるいは操作部の一部を構成する外筒と、前記外筒の内周面に形成された前記突っ張り棒が摺動する溝部と、を備え、前記外筒にキャップ体が進入し、前記突っ張り棒が上方に移動する際、前記突っ張り棒の先端部が前記溝部を摺動することが望ましい。
このように、突っ張り棒が上方に移動する際、前記突っ張り棒の先端部が前記外筒の溝部を摺動するため、突っ張り棒は前記溝に案内され、安定した移動をなすことができる。
【００１６】
また、前記ピストンの中央部に形成された、塗布部に液体を供給する開口孔部と、前記ねじ棒の下端部に取り付けられた、弁部を有するピストン弁と、前記ピストン弁とピストンの間に設けられたスプリングとを備え、前記外筒にキャップ体が進入することにより、キャップ体は塗布部に形成された導出口を閉塞する共に、前記ピストン弁が上方に移動することにより前記スプリングが圧縮され、前記弁部が開口部から離れ、前記塗布部の内部に前記開口部を介して前記液体タンクから液体が供給され、前記外筒からキャップ体が取り外されることにより、前記スプリングの反発力によってピストン弁が下方向に移動し、前記弁部によって開口部を閉塞することが望ましい。
【００１７】
即ち、キャップ体を装着することにより、ピストン弁（ねじ棒）が上方に移動し、塗布部内部に前記液体タンクから液体が供給される。一方、キャップ体を取り外すことにより、塗布部と液体タンクは遮断される。このようにキャップ体の着脱という容易な操作により、塗布部内に液体を充填することができる。
尚、前記した弁部を有するピストン弁は、ねじ棒と一体に形成したものであっても良い。
【００１８】
また、前記キャップ体は、先端部が突っ張りに当接すると共に、前記塗布部を収容するキャップ本体と、前記キャップ本体に対して上下動可能に形成され、前記塗布部の導出口に圧接し、前記塗布部の導出口を閉塞するキャップ弁と、前記キャップ本体とキャップ弁との間に設けられたスプリングと、を備えていることが望ましい。
このように、キャップ弁が設けられ、塗布部の導出口を閉塞するため、塗布部内の液体の外部への漏れを抑制することができる。
【発明の効果】
【００１９】
本発明によれば、使用状態の如何にかかわらず、薬剤等の液体を一定量塗布することができ、また粘性の高い液体の導出にも適した定量塗布具を得ることができる。
【図面の簡単な説明】
【００２０】
【図１】図１は、本発明にかかる定量塗布具の実施形態にかかる側面図である。
【図２】図２は、（ａ）は図１に示す縦断面図、（ｂ）は（ａ）と９０度方向が異なる縦断面図である。
【図３】図３は、図２に示す外筒を示す図であって、（ａ）は側面図、（ｂ）は縦断面図、（ｃ）は底面図である。
【図４】図４は、図２に示すノック棒を示す図であって、（ａ）は上方からの斜視図、（ｂ）は下方からの斜視図、（ｃ）は側面図である。
【図５】図５は、図４に示すノック棒を示す図であって、（ａ）は縦断面図、（ｂ）は横断面図である。
【図６】図６は、図２に示す回転子であって、（ａ）は平面図、（ｂ）は側面図である。
【図７】図７は、図６に示す回転子の斜視図である。
【図８】図８は、図２に示すねじ棒を示す図であって、（ａ）は平面図、（ｂ）は正面図、（ｃ）は側面図である。
【図９】図９は、図８に示すねじ棒を示す図であって、（ａ）は縦断面図、（ｂ）は斜視図である。
【図１０】図１０は、図２に示すカラー部材を示す図であって、（ａ）は正面図、（ｂ）は側面図、（ｃ）平面図である。
【図１１】図１１は、図１０に示すカラー部材を示す図であって、（ａ）は上方からの斜視図、（ｂ）は下方からの斜視図、（ｃ）縦断面図である。
【図１２】図１２は、図２示すねじ体を示す図であって、（ａ）は上方からの斜視図、（ｂ）は下方からの斜視図である。
【図１３】図１３は、図２に示す突っ張り棒を示す図であって、（ａ）は正面図、（ｂ）は側面図、（ｃ）は縦断面図である。
【図１４】図１４は、図１３に示す突っ張り棒を示す斜視図である。
【図１５】図１５は、図２に示す液体タンクを示す図であって、（ａ）は正面図、（ｂ）は縦断面図、（ｃ）は（ｂ）と９０度方向が異なる縦断面図である。
【図１６】図１６は、図１５に示す液体タンクを示す図であって、（ａ）は上方からの斜視図、（ｂ）は下方からの斜視図である。
【図１７】図１７は、図２に示す塗布部を示す図であって、（ａ）は下方からの斜視図、（ｂ）は上方からの斜視図，（ｃ）は縦断面図である。
【図１８】図１８は、図２に示すピストン弁を示す図であって、（ａ）は正面図、（ｂ）は側面図、（ｃ）は斜視図である。
【図１９】図１９は、図２に示すピストンを示す図であって、（ａ）は正面図、（ｂ）は側面図である。
【図２０】図２０は、図１９に示すピストンを示す図であって、（ａ）は断面図、（ｂ）は斜視図である。
【図２１】図２１は図１に示す定量塗布具からキャップを外した状態を示す図であって、（ａ）は縦断面図、（ｂ）は（ａ）と９０度方向が異なる縦断面図である。
【図２２】図２２は図２に示す定量塗布具を、塗布すべき対象物に押し当てた塗布状態を示す図であって、（ａ）は縦断面図、（ｂ）は（ａ）と９０度方向が異なる縦断面図である。
【図２３】図２３は図２に示す定量塗布具の塗布終了状態を示す図であって、（ａ）は縦断面図、（ｂ）は（ａ）と９０度方向が異なる縦断面図である。
【図２４】図２４は図２３に示す塗布終了状態の定量塗布具からキャップを装着し、初期状態（図２）の状態に復帰する動作を説明するための図であって、（ａ）は縦断面図、（ｂ）は（ａ）と９０度方向が異なる縦断面図である。
【発明を実施するための形態】
【００２１】
以下、本発明にかかる定量塗布具の一実施形態を図面に基づき説明する。
（定量塗布具の概略構成）
図１示すように、この定量塗布具１は、所定量の液体を吐出する定量塗布体Ａと、前記定量塗布体Ａに対して、着脱自在に構成されたキャップ体Ｂを備えている。
前記キャップ体Ｂは、塗布する際には定量塗布体Ａから取り外され、塗布が終了した際には定量塗布体Ａに装着される。
この前記キャップ体Ｂが、塗布終了後、定量塗布体Ａに装着されることによって、前記定量塗布体Ａを初期状態（塗布可能状態）に復帰させると共に、前記定量塗布体Ａの先端部に形成された塗布部を密閉するように構成されている。
【００２２】
（定量塗布体の概略構成）
この定量塗布体Ａの概略構成について、図２に基づいて説明する。
図２に示しように、定量塗布体Ａは、定量塗布体Ａの外形を構成する円筒状の外筒２と、前記外筒２の鍔部２ａに係止される爪部３ｂを有し、前記外筒２と一体的に上下動するノック棒３とを備えている。
また、前記ノック棒３の鍔部３ｄの下面に形成されカム３ｅと係合するカム４ａを備え、一方向の回動を前記ノック棒３に伝達し、他方向の回動を前記ノック棒３に伝達しない、リング状の回転子４とを備えている。
【００２３】
また、定量塗布体Ａは、前記回転子４を収容し、前記ノック棒３の下方向の移動によって、前記回転子４を回動させる螺旋状のガイド溝６ｄ，６ｅを有するカラー部材６と、前記ノック棒３と共に回動可能に、かつ前記ノック棒３に対して上下方向に摺動可能に取り付けられたねじ棒５と、前記カラー部材６内に収容され、前記ねじ棒５と螺合するねじ体７とを備えている。
また、前記カラー部材６の上端部に設けられた爪部６ｇは、前記鍔部３ｄの上面に係合している。また前記ねじ体７は、カラー部材６の底面６ａの上に載置されている。
【００２４】
また、前記回転子４と前記ねじ体７の間には、スプリング１３が設けられ、前記回転子４と前記ねじ体７には前記スプリング１３の反発力が作用し、回転子４（ノック棒３）を常時上方に押し上げる方向に付勢している。しかも、前記カラー部材６の爪部６ｇが、前記鍔部３ｄの上面に係合しているため、前記カム３ｅとカム４ａが噛み合っている。
また、前記ねじ体７は、ねじ棒５の回動によって前記ねじ棒５を下方向移動させるが、所定力以上の回転力がねじ棒５から受けると、前記カラー部材６に対して、空回りし、ねじ棒５が下方向に移動しないように構成されている。
【００２５】
また、前記ねじ棒５の下端部には、突っ張り棒８が取り付けられ、前記ねじ棒５と共に、下方向に移動するように構成されている。この突っ張り棒８は、定量塗布具ＡにキャップＢを装着した際、キャップＢによって上方に移動し、定量塗布具Ａを初期状態に復帰させるものである。
【００２６】
前記ねじ棒５の下端部には、ピストン弁１１が設けられ、このピストン弁１１の先端部に、スプリング１４を介してピストン１２が設けられている。
前記スプリング１４は、ピストン弁１１がピストン１２との間に介装され、キャップＢが装着されている間、ピストン弁１１の弁部１１ｄがピストン１２の開口部１２ｃを閉じ、キャップＢが取り外されている間、ピストン弁１１の弁部１１ｄがピストン１２の開口部１２ｂを開放するように構成されている。
【００２７】
また、塗布する液体が収容されている液体タンク９は、２重の円筒形状に形成され、前記ピストン弁１１がその中央部分を挿通している。また、前記液体タンクは９の先端部分には、塗布対象物と当接する塗布部１０が取り付けられている。
【００２８】
（キャップ体の概略構成）
キャップ体Ｂは、図２に示すように、前記塗布部１０を収容するキャップ本体２０と、前記キャップ本体２０に対して、上下動可能に形成され、前記塗布部１０の液体を導出する導出口１０ａ圧接し、前記導出口１０ａを閉塞するキャップ弁２１と、前記キャップ本体２０とキャップ弁２１との間に設けられたスプリング２２とを備えている。
このキャップ本体２０の先端部２０ａが前記外筒２内に進入することにより、前記キャップ本体２０の上端部が前記突っ張り棒８に当接し、更にキャップ本体２０の先端部２０ａが外筒内に進入することによって、前記突っ張り棒８を上方に移動させ、定量塗布具Ａが初期状態に復帰するように構成されている。
【００２９】
次に、この定量塗布体Ａの構成する各部材について、更に図２乃至図２０に基づいて説明する。
（外筒の構成）
まず、外筒２について図２及び図３に基づいて説明する。
この外筒２は円筒状に形成され、上部には径方向に突出した鍔部２ａが形成されている。この鍔部２ａには、ノック棒３の爪部３ｂ（図３参照）が係止される。また、前記外筒２の内壁には、前記突っ張り棒８の上下動を案内する溝２ｂと、液体タンク９の上下動を案内する溝２ｃが形成されている。
このように外筒２が形成されているため、外筒２とノック棒３は一体的に上下動可能に構成され、前記突っ張り棒８と液体タンク９は、外筒２に対して回動することなく、溝２ｂ，２ｃに案内されながら、相対的に、かつ安定した上下動を行うことができるように構成されている。
【００３０】
（ノック棒の構成）
次に、ノック棒３について図２及び図４に基づいて説明する。
前記ノック棒３は円柱状に形成され、その中心部に貫通孔３ａが形成されている。この貫通孔３ａは、上部に形成された断面円形の第１の貫通孔３ａ１と、前記第１の貫通孔３ａ１と連通した、断面楕円状（長軸方向が直線で形成された楕円形状）に形成された第２の貫通孔３ａ２とを有している。
このように、第２の貫通孔３ａ２が、断面楕円状（長軸方向が直線で形成された楕円形状）に形成されているため、断面楕円状（長軸方向が直線で形成された楕円形状）のねじ棒５が第２の貫通孔３ａ２に挿入された状態において、ねじ棒５に対して、前記ノック棒３の回動を伝達することができ、また、ねじ棒５をノック棒３に対して上下動させることができる。
【００３１】
前記ノック棒３の上面には、上方に延設された爪部３ｂが設けられている。また前記ノック棒３の上面外周部には、第１の鍔部３ｃが形成されている。前記爪部３ｂが、前記外筒２の鍔部２ａの上面に係止されることにより、この第１の鍔部３ｃと爪部３ｂとの間に、前記鍔部２ａが固定される。即ち、前記外筒２の内部に前記ノック棒３が一体的に取り付けられる。
【００３２】
また、前記ノック棒３の下方には、第２の鍔部３ｄが形成されている。この第２の鍔部３ｄの下面には断面三角形状のカム３ｅが形成されている。このカム３ｅは、周方向に１８０度の間隔を持って２個形成されている。このカム３ｅは、斜面部３ｅ１と略垂直な係止面３ｅ２を有している。
このカム３ｅは、回転子４に形成されたカム４ａと係合し、回転子４からの一方向の回動を前記ノック棒３に伝達し、他方向の回動を前記ノック棒３に伝達しないように構成されている。
【００３３】
（回転子の構成）
回転子４について図２、図６、図７に基づいて説明する。
この回転子４は円筒状に形成され、その上面には周方向に、連続して断面三角形状のカム４ａが複数形成されている。このカム４ａは、斜面部４ａ１と略垂直な係止面４ａ２を有している。
したがって、回転子４が一方向に回転した際、前記カム４ａの斜面部４ａ１と前記カム３ｅの斜面部３ｅ１とが当接し、他の方向に回転した際、前記カム４ａの係止面４ａ２と前記カム３ｅの係止面３ｅ２とが当接するように構成されている。
即ち、前記回転子４が一方向に回転した際に、カム４ａの斜面部４ａ１と前記カム３ｅの斜面部３ｅ１とが当接し、前記回転子４の回転はノック棒３に伝達されない。
一方、回転子４が他の方向に回転した際には、カム４ａの係止面４ａ２と前記カム３ｅの係止面３ｅ２とが当接し、回転子４の回転がノック棒３に伝達されるように構成されている。
【００３４】
また、前記回転子４の外周面には、１８０度の間隔をもって２個のピン４ｂが突出して形成されている。
このピン４ｂは、カラー部材６に形成された螺旋状のガイド溝６ｄ、６ｅ内に収容され、前記ピン４ｂが螺旋状のガイド溝６ｄ，６ｅ内を移動することにより、前記回転子４を回動させるものである。
【００３５】
このように回転子４が形成されているため、ノック棒３（外筒２）が押圧（ノック）されることにより、回転子４はスプリング１４に抗しながら、前記螺旋状のガイド溝６ｄ、６ｅの上方位置から下方位置に回転しながら移動する。この際、前記カム４ａの係止面４ａ２と前記カム３ｅの係止面３ｅ２とが当接し、前記回転子４の回転はノック棒３に伝達される。
一方、回転子４が、前記螺旋状のガイド溝６ｄ、６ｅの下方位置から上方位置に回転しながら移動する際には、前記カム４ａの斜面部４ａ１と前記カム３ｅの斜面部３ｅ１とが当接し、前記回転子４の回転はノック棒３に伝達されない。
【００３６】
（ねじ棒の構成）
ねじ棒５について図２、図８、図９に基づいて説明する。
このねじ棒５は円筒状に形成され、その外周面にねじ５ａ１が形成されたねじ部５ａと、下端部に形成された、ピストン弁１１が取り付けられる取付け部５ｂと、前記ねじ棒５が所定角度回転するごとに、液体タンク９の突起９ｆ１に係止される弾性片５ｃを備えている。
前記ねじ部５ａは、前記ノック棒３の第２の貫通孔３ａ２に挿通可能に、断面楕円状（短軸方向が円弧状の円弧状部と、長軸方向が直線状の直線状部を有する楕円形状）に形成され、円弧状部にねじ５ａ１が形成され、直線状部は平面５ａ２が形成されている。
したがって、前記ねじ子棒５がノック棒３の第２の貫通孔３ａ２に挿通した状態において、前記ノック棒３が回動すると、ねじ子棒５は一体となって回動するが、一方、ねじ子棒５はノック棒３の第２の貫通孔３ａ２内部を上下に移動することができる。
【００３７】
また、前記取付け部５ｂは、前記ピストン弁１１が挿入、係止される挿入孔５ｂ１と、前記挿入孔５ｂ１の内部に突出した係止突起５ｂ２が設けられている。
この挿入孔５ｂ１にピストン弁１１の先端部分が挿入され、前記ピストン弁１１の先端部分に形成された係止部１１ｂが前記係止突起５ｂ２に係止される。
また、この前記取付け部５ｂの外周面に、前記突っ張り棒８の筒部８ａが嵌合するように構成されている。
【００３８】
このようにねじ棒５が形成されているため、ノック棒３が回動すると、ねじ子棒５は一体となって回動し、前記ねじ棒５が所定角度回転すると、前記弾性片５ｃが、液体タンク９の一つの突起９ｆ１を乗り越え、次の突起９ｆ１に係止される。尚、前記突っ張り棒８は、左右先端部が外筒２の溝部２ｂに案内されるため、ねじ棒５が回動しても、回動することはない。
また上記したように、ねじ子棒５はノック棒３の第２の貫通孔３ａ２内部を上下に移動する。
【００３９】
（カラー部材の構成）
カラー部材６について図２、図１０、図１１に基づいて説明する。
このカラー部材６は有底円筒状に形成され、底面６ａには、前記ねじ棒５が挿通する開孔６ｂが形成されている。また、前記底面６ａに近接した内周面には、前記ねじ体７の周面に形成された舌状片７ｇと係合する、所定の間隔をもって形成された複数の係合突起６ｃが形成されている。
また、カラー部材６の周面には、１８０度の間隔をもって２個の螺旋状のガイド溝６ｄ、６ｅが形成されている。この螺旋状のガイド溝６ｄ、６ｅは上方位置と下方位置とが、例えば、４５度の回転角度を持って形成されている。
このガイド溝６ｄ、６ｅ内には、前記回転子４のピン４ｂが摺動可能に収容される。前記ガイド溝６ｄ、６ｅ内をピン４ｂが摺動することにより、前記回転子４は所定の方向に回動する。
【００４０】
また、このカラー部材６の上端部から立上がり部６ｆが延設され、前記立上がり部６ｆの上端部には爪部６ｇが形成されている。この爪部６ｇは、前記ノック棒３の第２の鍔部３ｄに係止される。
【００４１】
（ねじ体の構成）
ねじ体７について図２、図１２に基づいて説明する。
このねじ体７は有底の２重円筒状に形成され、底面７ａには前記ねじ棒５が挿通する開孔７ｂが形成されている。
また、前記底面７ａから上方に延設された内周側円筒７ｃの内周面には、ねじ部７ｄが形成されている。このねじ部７ｄはねじ棒５のねじ部５ａと螺合する。
前記ねじ棒５のねじ部５ａが、ねじ体７のねじ部７ｄに螺合し、前記ねじ棒５が回動することにより、ねじ棒５は下方向に移動する。即ち、ねじ棒５は下方向に移動することによって、ピストン弁１１（ピストン１１）を前進させることができる。
【００４２】
また、底面７ａから上方に延設された外周側円筒７ｅの外周面には、開口部７ｆが設けられ、前記開口部７ｆ内には、前記カラー部材６の係合突起６ｃと係合する舌状片７ｆが形成されている。
前記ねじ体７に、ねじ棒５から一定力以上の回転力が作用すると、係合突起６ｃと舌状片７ｆの係合が解かれ、ねじ体７が回転（空転）するように構成されている。
【００４３】
また、図２に示すように、ねじ体７の上面と回転子４の下面との間には、スプリング１３が配置されている。このスプリング１３によって、回転子４のカム４ａはノック棒３のカム３ｅに圧接するように構成されている。
【００４４】
（突っ張り棒の構成）
突っ張り棒８について図２、図１３、図１４に基づいて説明する。
突っ張り棒８は、前記ねじ棒５の下端部の取付け部５ｂが挿入される円筒状の筒部８ａと、前記筒部８ａの左右両側に突出したキャップ当接部８ｂとを備えている。このキャップ当接部８ｂは、キャップ体Ｂが外筒２に装着されることにより、キャップ本体２０の先端部がキャップ当接部８ｂに当接し、キャップ当接部は押し上げられ、初期状態に戻される。
尚、キャップ当接部８ｂは、外筒２の溝部２ｂ内を案内されながら摺動するように構成されている。
【００４５】
（液体タンクの構成）
液体タンク９について図２、図１６、図１７に基づいて説明する。
液体タンク９は、２重の有底円筒状からなり、外周側円筒９ａと内周側円筒９ｂとの間に液体を貯留する液体タンク９ｃが形成される。尚、図に示すように液体タンク９の下端部は、開放されており、前記下端部に塗布部１０が取り付けられることにより、液体タンクとして機能する。
前記液体タンク９の上部には、前記カラー部材６が収容される第１の凹部９ｄが形成されている。また液体タンク９の下部には、前記ピストン１２の上部及びスプリング１４が収容される第２の凹部９ｅが形成されている。
【００４６】
更に、前記第１の凹部９ｄと第２の凹部９ｅとを連通する貫通孔９ｆが形成されている。前記貫通孔９ｆの内周壁の周面には、ねじ棒５の弾性片５ｃが係合する突起９ｆ１が所定の間隔をもって複数設けられている。この突起９ｆ１は貫通孔９ｆの軸線方向に延設されている。
また、液体タンク９の上端部から下方向に延設された、前記突っ張り棒８が移動するためのスリット９ｇが１８０度の間隔をもって(左右両側に)形成されている。また、液体タンク９の上端部には、外筒２の溝部２ｃに移動可能に収容される突起９ｈが設けられている。
また、前記液体タンク９の外周側円筒９ａの下端部側には、キャップ本体２０が係止する係止突起９ｉが設けられている。キャップ本体２０が装着された際、キャップ本体２０は係止突起９ｉに係止され、塗布部１０を密閉する。
【００４７】
（塗布部の構成）
塗布部１０について図２、図１７に基づいて説明する。
塗布部１０は底有円筒状に形成され、底面１０ａには液体を導出する複数の導出口１０ｂが形成されている。また、塗布部１０の上端部１０ｃは、鍔部１０ｄの上面が、液体タンク９の外周側円筒９ａの下端面に当接するまで、外周側円筒９ａの内部に進入、嵌合させる。
これにより、前記液体タンク９の下端面を閉塞し、液体タンク９として形成すると共に、塗布部１０が液体タンクの下端部に設けられる。
【００４８】
（ピストン弁の構成）
ピストン弁１１について図２、図１８に基づいて説明する。
ピストン弁１１は円柱状からなる本体部１１ａと、本体部１１ａの上面から上方に延設された、前記ねじ棒５の係止突起５ｂ１に係止される係止部１１ｂを備えている。
また、前記本体部１１の下方には外周面から突出したスプリング受け部１１ｃが形成されている。このスプリング受け部１１ｃは、図２に示すように、ピストン１２との間に介装されるスプリング１４の端部を受けるものである。
また、ピストン弁１１の下端面には、ピストン１４に形成された開口の開閉を行う弁部１１ｄが形成されている。
【００４９】
（ピストンの構成）
ピストン１２について図２、図１９、図２０に基づいて説明する。
ピストン１２は、円筒状の本体部１２ａに形成され、その先端部には、開口部１２ｃが形成されたピストン部１２ｂが形成されている。また、前記本体部１２ａの周面には液体が流入する２つの供給口１２ｄが形成されている。
また、ピストン１２の本体部１２ａの上部には、上方に延設された立上がり部１２ｅが形成され、この立上がり部１２の上端部には、前記スプリング１４の一端部を係止する２つの係止部１２ｆが形成されている。また、図２に示すように、２つの係止部１２ｆの間の空間１２ｇ内に、前記ピストン弁１１が挿通するように構成されている。
【００５０】
前記したように、スプリング１４の一端部はピストン１２と当接し、他端部はスプリング受け部１１ｃと当接している。
そのため、外筒２（定量塗布体Ａ）にキャップ本体２０が装着された状態では、キャップ本体２０が、ねじ棒５に取り付けられた突っ張り棒８を押し上げる。そのため、ピストン弁１２は、突っ張り棒８によってスプリング１４の反発力に抗して、開口部１２ｃを開放する。即ち、液体タンクから塗布部１０内に液体が供給され、塗布部１０内に液体が充填される。
【００５１】
一方、外筒２（定量塗布体Ａ）にキャップ本体２０が外された状態では、ピストン弁１２は、スプリング１４の反発力によって、開口部１２ｃを閉塞する。即ち、塗布部１０と液体タンク９とを遮断するように構成されている。
【００５２】
（定量塗布具の動作、作用）
次に、図２、図２１、図２２、図２３、図２４に基づいて、定量塗布具の動作、作用について説明する。
図２に示す、外筒２（定量塗布体Ａ）にキャップ本体２０が装着された状態では、キャップ本体２０の先端部２０ａが突っ張り棒８に当接し、前記突っ張り棒８によって、ピストン弁１１はスプリング１４を圧縮して押し上げられている。また、ピストン弁１１の弁部１１ｄは開口部１２ｃを開放している。尚、ピストン１２の係止部１２ｆは液体タンクの第２の凹部９ｅの底面（上面）に当接している。
このように、前記開口部１２ｃが開放しているため、液体タンク９と塗布部１０は連通し、液体タンク内の液体が供給口１２ｄを介して、塗布部１０に液体が供給されている（充填されている）。
【００５３】
一方、キャップ体Ｂは、図２に示すように、キャップ弁２１は、スプリング２２によって前記塗布部１０に圧接し、前記塗布部１０の導出口１０ｂを閉塞し、液体の外部への漏れを防止している。
【００５４】
そして、外筒２（定量塗布体Ａ）からキャップ本体２０を取り外すと、図２１に示すように、スプリング１４の反発力により、ピストン弁１１を下方に移動させ、前記開口部１２ｃを弁部１１ｄにより閉塞する。このとき、前記塗布部１０内には、液体が充填された状態になされている。
【００５５】
この図２１に示す状態において、前記塗布部１０を頭皮等の塗布対象物に当て、外筒２（ノック棒３）を押すと、前記外筒２、ノック棒３、回転子４は下方に移動する。しかも、前記回転子４のピン４ｂがカラー部材６の螺旋状ガイド溝６ｄ、６ｅ内を摺動するため、回転子４は回動しながら、下方に移動する。尚、前記回転子４とノック棒３は、カム４ａの係止面４ａ２と、カム３ｅの係止面カム３ｅ２が係合しているため、一体となって回動する。
【００５６】
この回転子４（ノック棒３）の回動によって、ねじ棒５に回動し、しかもねじ棒５はねじ体７に螺合しているために、下方向に移動する。尚、前記突っ張り棒８もねじ棒５の下方向の移動に伴い、下方向に移動する。
このねじ棒５の下方向への移動によって、図２２に示すように、ピストン弁１１は下方向に移動し、ピストン１２は前記ピストン弁１１に押されて、塗布部１０内部を下方向に移動する。
即ち、このピストン１２の塗布部１０内部の下方向への移動によって、液体の導出口１０ｂから液体が導出される。
【００５７】
このとき、ねじ棒５が所定角度回動すると、前記ねじ棒５に形成された弾性片５ｃと液体タンク９の突起９ｆ１との係合が解かれ、隣接する突起９ｆ１と係合する。
即ち、この突起９ｆ１と弾性片５ｃとの係合、解除によって、使用者はクリック感を得ることができ、このクリック感によって液体が所定量塗布されたことを知ることができる。
【００５８】
ここで、外筒２の押圧を解除すると、前記スプリング１３の反発力によって、ノック棒３、回転子４が上方に移動する。そしてノック棒３の鍔部３ｄがカラー部材６の爪部６ｇに係止されることにより、移動が停止する。
この回転子４の上方への移動によって、前記回転子４は、螺旋状のガイド溝６ｄ、６ｅによって下方向への移動時とは反対方向に回動する。
尚、前記回転子４が反対方向に回動するため、前記回転子４のカム４ａの斜面部４ａ１と、ノック棒３はのカム３ｅの斜面部３ｅ１とが係合し、前記回転子４の回動する力はノック棒３に伝達されず、ノック棒３は回動しない。
【００５９】
また、ねじ棒５はねじ体７と螺合しているため、外筒２の押圧を解除しても、解除前の状態に置かれる。即ち、ねじ棒５の状態が解除前の状態に置かれるため、ピストン弁１１及びピストン１２も、解除前の状態に置かれる。
したがって、外筒２の押圧、押圧解除を繰り返すと、ねじ棒５は徐々に下方向に移動し、それに伴いピストン弁１１及びピストン１２も徐々に下方向に移動し、塗布部１０内部の全ての液体を導出口１０ｂから導出する。
このように、塗布部１０内の液体が導出した塗布終了状態にあっては、図２３に示すように、ピストン１２は塗布部１０の底面１０ａに接している。また、前記突っ張り棒８は最下端位置に位置している。
【００６０】
このような塗布終了状態において、外筒２（ノック棒３）を押圧すると、ねじ棒５からねじ体７に所定力以上の回動力が作用するが、前記ねじ体７の舌状片７ｇと前記カラー部材６の前記突起６ｃとの係止が解除され、前記ねじ棒５と共に前記ねじ体７が回動するため、ねじ棒５のねじ部５ａと、ねじ体７のねじ部７ｄの破損を抑制することができる。
【００６１】
また、このように構成された定量塗布具１にあっては、上記したように、前記ねじ棒５に形成された弾性片５ｃと、前記貫通孔９ｆの内壁に形成された複数の突起９ｆ１とを備えているために、クリック感を得ることができる。
一例を挙げれば、１回の外筒２の押圧によって回転子４（ねじ棒５）が４５度回転し、また外筒２の押圧を６回行うことによって、塗布部１０内に充填されている液体が全て導出するようになした場合において、前記回転子４（ねじ棒５）が５度回転するごとに、前記クリック感を得るように構成することによって、外筒２の１回の押圧によって塗布される塗布量の１／９の塗布量の液体を塗布対象物に塗布することができる。
【００６２】
（定量塗布具の復帰動作、作用）
次に、塗布終了後、前記定量塗布体Ａを初期状態（塗布可能状態）に復帰させる動作について説明する。
図２４に示すように、前記キャップ本体２０を外筒２の内部に挿入し、前記キャップ本体２０の先端部２０ａを突っ張り棒８に当接させ、前記キャップ本体２０で突っ張り棒８を上方に移動させる（押し上げる）。
【００６３】
この突っ張り棒８の上方に伴い、ねじ棒５も上方に移動するが、ねじ棒５がねじ体７に螺合しているため、ねじ体７もスプリング１３の反発力に抗して、上方に移動する。このねじ体７の上昇により、ねじ体７の舌状片７ｇとカラー部材の係合突起６ｃの係合が解かれ、ねじ棒５は上方に移動する。
そして、突っ張り棒８を所定位置まで上方に移動させると、前記ねじ体７はスプリング１４の反発力によって下方に移動し、ねじ体７の舌状片７ｇとカラー部材の係合突起６ｃは係合する。
尚、ねじ棒５が上方に移動する際、ノック棒３、回転子４、カラー部材６の状態の変化はない。
【００６４】
一方、ねじ棒５の上方への移動に伴い、ピストン弁１１が上方に移動する。また、ピストン弁１１は、ピストン弁１１とピストン１２の間のスプリング１４を介して、ピストン１２を上方に移動させる。
【００６５】
そして、図２に示すように、ピストン１２の係止部１２ｆが液体タンク９の第２の凹部９ｅの底面に接すると、ピストン弁１１は、前記スプリング１４を圧縮し、弁部１１ｄは開口部１２ｃを開放する。
また、前記開口部１２ｂが開放しているため、液体タンク９と塗布部１０は連通し、液体タンク内の液体が供給口１２ｄを介して、塗布部１０に液体が供給され、充填される。
一方、キャップ体Ｂのキャップ弁２１は、スプリング２２によって前記塗布部１０に圧接し、前記塗布部１０の導出口１０ｂを閉塞し、液体の外部への漏れを防止している。
【００６６】
尚、上記実施形態では、外筒とノック棒とを別体で形成したものを示したが、特にこれに限定されるものではなく、外筒とノック棒とを一体に形成したものであっても良い。
また、ねじ棒とピストン弁とを別体で形成したものを示したが、特にこれに限定されるものではなく、ねじ棒とピストン弁とを一体に形成したものであっても良い。
【符号の説明】
【００６７】
１        定量塗布具
２        外筒
３        ノック棒
３ａ      第１の貫通孔
３ｂ      第２の貫通孔
３ｅ      カム
４        回転子
４ａ      カム
４ｂ      ピン
５        ねじ棒
５ａ      ねじ部
５ｂ      取り付け部
５ｃ      弾性片
６        カラー部材
６ｃ      係合突起
６ｄ      ガイド溝
６ｅ      ガイド溝
７        ねじ体
７ｄ      ねじ部
７ｇ      舌状片
８        突っ張り棒
９        液体タンク
９ｆ１    突起
１０      塗布部
１１      ピストン弁
１１ｄ    弁部
１２      ピストン
１２ｃ    開口部
１３      スプリング
１４      スプリング
２０      キャップ本体
２１      キャップ弁
２２      スプリング
Ａ        定量塗布体
Ｂ        キャップ体
【図１】
2015227181.tif 000003
【図２】
2015227181.tif 000004
【図３】
2015227181.tif 000005
【図４】
2015227181.tif 000006
【図５】
2015227181.tif 000007
【図６】
2015227181.tif 000008
【図７】
2015227181.tif 000009
【図８】
2015227181.tif 000010
【図９】
2015227181.tif 000011
【図１０】
2015227181.tif 000012
【図１１】
2015227181.tif 000013
【図１２】
2015227181.tif 000014
【図１３】
2015227181.tif 000015
【図１４】
2015227181.tif 000016
【図１５】
2015227181.tif 000017
【図１６】
2015227181.tif 000018
【図１７】
2015227181.tif 000019
【図１８】
2015227181.tif 000020
【図１９】
2015227181.tif 000021
【図２０】
2015227181.tif 000022
【図２１】
2015227181.tif 000023
【図２２】
2015227181.tif 000024
【図２３】
2015227181.tif 000025
【図２４】
2015227181.tif 000026